【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
モバイル測定システムであって、
前記システムのモバイル動作および前記測定システムの静止動作が可能である車両と、前記車両は、電気エネルギー源を有する、
前記電気エネルギー源に結合された測定デバイスと、
前記測定デバイスに結合された入力ラインと、
前記入力ラインに結合されたサンプル収集装置と、ここにおいて、前記サンプル収集装置は、第１の温度でサンプルを取得し、およびここにおいて、前記入力ラインは、前記第１の温度以上のライン温度を維持するように構成された加熱素子を備え、およびここにおいて、前記サンプル収集装置は、前記モバイル測定システムのモバイル動作および静止動作中に前記サンプルを取得することが可能である、
を備えるモバイル測定システム。
【請求項２】
前記車両は、推進源を備え、前記推進源は、燃焼機関をさらに備える、請求項１に記載のシステム。
【請求項３】
前記推進源は、ガスまたはディーゼル燃料のうちの少なくとも１つを使用して動作されることが可能であり、前記推進源は、プロパンまたは圧縮天然ガスのうちの少なくとも１つを使用して動作するように切り替えられることが可能であり、前記システムは、前記測定デバイスが前記入力ラインからサンプルを受け取っているかどうかに基づいて、ガソリンまたはディーゼルからプロパンまたは圧縮天然ガスへ前記推進源の燃料源を切り替えるように動作可能であるスイッチを備える、請求項２に記載のシステム。
【請求項４】
前記推進源は冷却システムを備え、前記入力ラインは前記冷却システムに結合される、請求項２に記載のシステム。
【請求項５】
前記入力ラインは、サンプル管を備え、前記加熱素子は、前記サンプル管に各々が隣接する２つの加熱管を備え、前記２つの加熱管は、前記冷却システムに結合される、請求項４に記載のシステム。
【請求項６】
前記車両に取外し可能に結合されたトレーラをさらに備え、前記トレーラは、前記電気パワー源の少なくとも一部分を収容する、請求項１に記載のシステム。
【請求項７】
前記車両は、推進源を備え、前記推進源は、ガスまたはディーゼル燃料のうちの少なくとも１つを使用して動作されることが可能であり、前記推進源は、プロパンまたは圧縮天然ガスのうちの少なくとも１つを使用して動作するように切り替えられることが可能であり、前記トレーラは、前記プロパンまたは圧縮天然ガスを収容する、請求項６に記載のシステム。
【請求項８】
前記電気パワー源は、少なくとも１２時間にわたり前記測定デバイスに連続的動作電力を提供するように構成されたバッテリのアレイを備える、請求項１に記載のシステム。
【請求項９】
モバイルプラットフォームを利用して測定のための空気サンプルを収集する方法であって、
モバイルプラットフォームに取外し可能に取り付けられた測定デバイスがアクティブであることを検出することと、
前記検出に基づいて、車両の推進源をプロパン、圧縮天然ガス、または電気のうちの１つに切り替えることと、
前記測定デバイスに結合されたサンプル収集装置を使用して第１の温度で空気サンプルを取得することと、
加熱素子を使用して前記第１の温度以上のライン温度で、前記測定デバイスに結合された入力ラインを維持することと、
前記サンプルを分析し、前記分析に基づいて通知を生成することと、
を備える方法。
【請求項１０】
前記空気サンプルを取得することは、前記測定デバイスに結合された供給ラインを介して前記空気サンプルを取得することをさらに備える、請求項９に記載の方法。
【請求項１１】
前記空気サンプルを取得することは、前記車両の前記推進源の冷却システムから得られた液体クーラントを使用して前記供給ラインにおける前記空気サンプルの最低温度を維持することをさらに備える、請求項１０に記載の方法。
【請求項１２】
前記液体クーラントは、前記供給ラインの空気サンプル管に隣接して進む、請求項１１に記載の方法。
【請求項１３】
前記空気サンプルを取得することは、蒸気収集装置を用いて前記空気サンプルを取得することをさらに備え、前記蒸気収集装置は、各々が穿孔を有する第１および第２の中空管を備え、前記第１の管は、前記第１および第２の中空管の前記穿孔が重ならないように、前記第２の管の少なくとも部分的に内側に配置される、請求項１０に記載の方法。
【請求項１４】
ポータブル科学プラットフォームであって、
推進源と独立した再生可能エネルギー源を有するモバイル車両と、ここにおいて、前記ポータブル科学プラットフォームは、モバイル動作および静止動作が可能である、
前記電気エネルギー源に結合された測定デバイスと、
前記測定デバイスに結合された入力ラインと、
ガスサンプルを採取するための、前記モバイル車両に結合されたサンプリングデバイスと、ここにおいて、サンプル収集装置は、第１の温度でサンプルを取得するように構成され、ここにおいて、前記入力ラインは、前記第１の温度以上のライン温度を維持するように構成された加熱素子を備え、およびここにおいて、前記サンプル収集装置は、前記ポータブル科学プラットフォームのモバイル動作および静止動作中に前記サンプルを取得することが可能である、
前記ガスサンプルから凝縮を除去し、処理されたサンプルを出力するための脱凝縮デバイスと、
前記サンプリングデバイスに通信可能に結合された検出器と、ここにおいて、前記検出器は前記サンプリングデバイスがアクティブか否かを検出するように構成される、
前記サンプリングデバイスがアクティブであることの検出に基づいて、プロパン、圧縮天然ガスあるいは電気の一つに前記車両の前記推進源を切り替えるように構成されたスイッチと、
前記処理されたサンプルを分析するための分析デバイスと、
を備えるポータブル科学プラットフォーム。
【請求項１５】
前記推進源は、少なくともプロパン、圧縮天然ガスあるいは電気の一つに切り替えられた車両により、前記ガスサンプルを汚染しない、請求項１４に記載のポータブル科学プラットフォーム。
【請求項１６】
前記車両が移動している間に汚染物質無しのガスサンプルを採取することを可能にするプロパン、圧縮天然ガスあるいは電気の一つに前記推進源を切り替える、請求項１４に記載のポータブル科学プラットフォーム。
【請求項１７】
前記サンプリングデバイスは、２層にされたフィルタリングデバイスをさらに備え、前記２層は各々が穿孔を有し、前記穿孔は重ならない、請求項１４に記載のポータブル科学プラットフォーム。
【請求項１８】
前記２層は各々が、共通の端部で閉じられた管を形成する、請求項１７に記載のポータブル科学プラットフォーム。
【請求項１９】
前記脱凝縮デバイスは、採取された前記ガスサンプルの周囲温度以上に加熱される供給ラインを備える、請求項１４に記載のポータブル科学プラットフォーム。
【請求項２０】
前記加熱素子は、サンプルラインに隣接する２つのラインを備え、前記２つのラインは、前記車両の加熱／冷却システムからの加熱されたクーラントを運ぶ、請求項１９に記載のポータブル科学プラットフォーム。
【請求項２１】
モバイル測定システムであって、
電気エネルギー源および推進源を有する車両と、ここにおいて、前記推進源は、燃焼機関をさらに備え、ガスまたはディーゼル燃料のうちの少なくとも１つを使用して動作されることが可能であり、前記推進源は、プロパンまたは圧縮天然ガスのうちの少なくとも１つを使用して動作するように切り替えられることが可能である、
前記電気エネルギー源に結合された測定デバイスと、
前記測定デバイスに結合された入力ラインと、
前記入力ラインに結合されたサンプル収集装置と、ここにおいて、前記サンプル収集装置は、第１の温度でサンプルを取得し、およびここにおいて、前記入力ラインは、前記第１の温度以上のライン温度を維持するように構成された加熱素子を備える、
前記測定デバイスが前記入力ラインからサンプルを受け取っているかどうかに基づいて、ガソリンまたはディーゼルからプロパンまたは圧縮天然ガスへ前記推進源の燃料源を切り替えるように動作可能であるスイッチと、
を備えるモバイル測定システム。
【請求項２２】
モバイル測定システムであって、
電気エネルギー源および推進源を有する車両と、ここにおいて、前記推進源は、燃焼機関および冷却システムを備える、
前記電気エネルギー源に結合された測定デバイスと、
前記測定デバイスおよび前記冷却システムに結合された入力ラインと、
前記入力ラインに結合されたサンプル収集装置と、ここにおいて、前記サンプル収集装置は、第１の温度でサンプルを取得し、およびここにおいて、前記入力ラインは、前記第１の温度以上のライン温度を維持するように構成された加熱素子を備える、
を備えるモバイル測定システム。
【請求項２３】
前記入力ラインは、サンプル管を備え、前記加熱素子は、前記サンプル管に各々が隣接する２つの加熱管を備え、前記２つの加熱管は、前記冷却システムに結合される、請求項２２に記載のシステム。
【請求項２４】
モバイル測定システムであって、
電気エネルギー源および推進源を有する車両と、
前記電気エネルギー源に結合された測定デバイスと、
前記測定デバイスに結合された入力ラインと、
前記入力ラインに結合されたサンプル収集装置と、ここにおいて、前記サンプル収集装置は、第１の温度でサンプルを取得し、およびここにおいて、前記入力ラインは、前記第１の温度以上のライン温度を維持するように構成された加熱素子を備える、
前記車両に取外し可能に結合されたトレーラと、ここにおいて、前記トレーラは、前記電気エネルギー源の少なくとも一部分を収容する、
ここにおいて、前記推進源は、ガスまたはディーゼル燃料のうちの少なくとも１つを使用して動作されることが可能であり、前記推進源は、プロパンまたは圧縮天然ガスのうちの少なくとも１つを使用して動作するように切り替えられることが可能であり、前記トレーラは、前記プロパンまたは圧縮天然ガスを収容する、
を備えるモバイル測定システム。
【請求項２５】
モバイル測定システムであって、
電気エネルギー源を有するポータブルパワープラントと、
前記電気エネルギー源に結合された測定デバイスと、
前記測定デバイスに結合された入力ラインと、
前記入力ラインに結合されたサンプル収集装置と、ここにおいて、前記サンプル収集装置は、第１の温度でサンプルを取得し、ここにおいて、前記入力ラインは、前記第１の温度以上のライン温度を維持するように構成された加熱素子を備え、およびここにおいて、前記サンプル収集装置は、前記モバイル測定システムのモバイル動作および前記モバイル測定システムの静止動作のグループのうちの少なくとも１つの間に前記サンプルを取得することが可能である、
ここにおいて、前記ポータブルパワープラントは、モバイル動作中に前記モバイル測定システムを推進させるための推進源を含み、前記推進源は、燃焼機関および電気エンジンのグループのうちの少なくとも１つとして動作可能である、
ここにおいて、前記推進源は、ガス、およびディーゼル燃料、および電気駆動のグループうちの少なくとも１つを使用して動作されることが可能であり、前記推進源は、プロパン、圧縮天然ガス、および電気パワーのうちの少なくとも１つを使用して動作するように切り替えられることが可能である、
を備えるモバイル測定システム。
【請求項２６】
前記システムは、前記測定デバイスが前記入力ラインからサンプルを受け取っているかどうかに基づいて、ガソリンまたはディーゼルからプロパン、圧縮天然ガス、および電気パワーのグループからのうちの少なくとも１つへ前記推進源の燃料源を切り替えるように動作可能であるスイッチを備える、請求項２５に記載のシステム。
【請求項２７】
モバイル測定システムであって、
電気エネルギー源を有するポータブルパワープラントと、
前記電気エネルギー源に結合された測定デバイスと、
前記測定デバイスに結合された入力ラインと、
前記入力ラインに結合されたサンプル収集装置と、ここにおいて、前記サンプル収集装置は、第１の温度でサンプルを取得し、ここにおいて、前記入力ラインは、前記第１の温度以上のライン温度を維持するように構成された加熱素子を備え、およびここにおいて、前記サンプル収集装置は、前記モバイル測定システムのモバイル動作および前記モバイル測定システムの静止動作のグループのうちの少なくとも１つの間に前記サンプルを取得することが可能である、
ここにおいて、推進源は、冷却システムを備え、前記入力ラインは、前記冷却システムに結合される、
を備えるモバイル測定システム。
【請求項２８】
前記入力ラインは、サンプル管を備え、前記加熱素子は、前記サンプル管に各々が隣接する２つの加熱管を備え、前記２つの加熱管は、前記冷却システムに結合される、請求項２７に記載のシステム。
【請求項２９】
モバイル測定システムであって、
電気エネルギー源を有するポータブルパワープラントと、
前記電気エネルギー源に結合された測定デバイスと、
前記測定デバイスに結合された入力ラインと、
前記入力ラインに結合されたサンプル収集装置と、ここにおいて、前記サンプル収集装置は、第１の温度でサンプルを取得し、ここにおいて、前記入力ラインは、前記第１の温度以上のライン温度を維持するように構成された加熱素子を備え、およびここにおいて、前記サンプル収集装置は、前記モバイル測定システムのモバイル動作および前記モバイル測定システムの静止動作のグループのうちの少なくとも１つの間に前記サンプルを取得することが可能である、
ここにおいて、前記ポータブルパワープラントは、推進源を有するモバイルプラットフォームを備え、前記ポータブルパワープラントは、推進源を有さないモバイルプラットフォームを含み、推進源を有さない前記モバイルプラットフォームは、前記電気パワー源の少なくとも一部分を収容し、推進源を有さない前記モバイルプラットフォームは、トレーラおよびコンテナのグループからのものである、
を備えるモバイル測定システム。
【請求項３０】
推進源を有さない前記モバイルプラットフォームは、推進源を有する前記モバイルプラットフォームに取外し可能に結合される、請求項２９に記載のシステム。